(57)【特許請求の範囲】
【請求項１】
ワイヤレス通信システムにおけるユーザ機器（ＵＥ）によるワイヤレス通信の方法であって、
最小実行能力がワイヤレス通信規格によって指定された、前記ワイヤレス通信システムのキャリアアグリゲーション機能に関する前記ＵＥの実行能力を取り出すことと、
前記ワイヤレス通信規格によって指定された最小実行能力を下回る低減されたレベルで前記キャリアアグリゲーション機能をサポートする前記ＵＥの能力を、前記キャリアアグリゲーション機能の前記低減されたレベルを基地局が認識することができるように、前記基地局にシグナリングすることと、
前記基地局からの指示に基づいて、前記低減されたレベルで前記キャリアアグリゲーション機能を使用して前記基地局と通信することと、
前記基地局から、前記低減されたレベルで前記キャリアアグリゲーション機能を使用する許可として前記指示を受信することと、
前記基地局から受信した前記許可を、前記ＵＥによる前記低減されたレベルでの前記キャリアアグリゲーション機能の前記使用の条件とすることと
を備える、方法。
【請求項２】
前記基地局に前記シグナリングすることが、
複数の所定の実行能力レベルのうちの１つまたは複数での前記キャリアアグリゲーション機能のサポートを示すことを備える、請求項１に記載の方法。
【請求項３】
前記基地局に前記シグナリングすることが、
アップリンク方向において前記低減されたレベルでおよびダウンリンク方向において前記ワイヤレス通信規格によって指定されたレベルで前記キャリアアグリゲーション機能をサポートする前記ＵＥの前記能力を前記基地局にシグナリングすることを備える、請求項１に記載の方法。
【請求項４】
低減された出力電力で前記基地局にアップリンク信号を送信することと、
前記ワイヤレス通信規格に従って前記基地局からダウンリンク送信を受信することと
をさらに備える、請求項３に記載の方法。
【請求項５】
ユーザ機器（ＵＥ）装置であって、
最小実行能力がワイヤレス通信規格によって指定された、ワイヤレス通信システムのキャリアアグリゲーション機能に関する前記ＵＥの実行能力を取り出すための手段と、
前記ワイヤレス通信規格によって指定された最小実行能力を下回る低減されたレベルで前記キャリアアグリゲーション機能をサポートする前記ＵＥの能力を、前記キャリアアグリゲーション機能の前記低減されたレベルを基地局が認識することができるように、前記基地局にシグナリングするための手段と、
前記基地局からの指示に基づいて、前記低減されたレベルで前記キャリアアグリゲーション機能を使用して前記基地局と通信するための手段と、
前記基地局から、前記低減されたレベルで前記キャリアアグリゲーション機能を使用する許可として前記指示を受信するための手段と、
前記基地局から受信した前記許可を、前記ＵＥによる前記低減されたレベルでの前記キャリアアグリゲーション機能の前記使用の条件とするための手段と
を備える、ＵＥ装置。
【請求項６】
前記基地局にシグナリングするための前記手段が、
複数の所定の実行能力レベルのうちの１つまたは複数での前記キャリアアグリゲーション機能のサポートを示すための手段を備える、請求項５に記載のＵＥ装置。
【請求項７】
前記基地局にシグナリングするための前記手段が、
アップリンク方向において前記低減されたレベルで、およびダウンリンク方向において前記ワイヤレス通信規格によって指定されたレベルで、前記キャリアアグリゲーション機能をサポートする前記ＵＥの前記能力を前記基地局にシグナリングするための手段を備える、請求項５に記載のＵＥ装置。
【請求項８】
低減された出力電力で前記基地局にアップリンク信号を送信するための手段と、
前記ワイヤレス通信規格に従って前記基地局からダウンリンク送信を受信するための手段と
をさらに備える、請求項７に記載のＵＥ装置。
【請求項９】
基地局を使用するワイヤレス通信のための方法であって、
前記基地局に通信可能に結合されたユーザ機器（ＵＥ）から、前記ＵＥのキャリアアグリゲーション機能の実行可能レベルを前記基地局が認識することができるように、能力情報メッセージを受信することと、
前記能力情報メッセージから、前記ＵＥが、キャリアアグリゲーション機能をサポートするための、ワイヤレス通信規格によって指定された最小実行能力を下回る低減されたレベルで前記キャリアアグリゲーション機能をサポートすると判断することと、
前記能力情報メッセージに基づいて、前記低減されたレベルで前記キャリアアグリゲーション機能を使用して前記ＵＥと通信することが可能であると判断することと、
前記キャリアアグリゲーション機能が前記低減されたレベルで使用され得るかどうかを前記ＵＥに示すことと
を備え、
前記示すことは、前記低減されたレベルで前記キャリアアグリゲーション機能を使用して前記ＵＥと通信することが可能であるという前記判断に応答して行われる、
方法。
【請求項１０】
前記ＵＥの受信信号強度が、前記低減されたレベルで前記キャリアアグリゲーション機能を使用するアップリンク通信を可能にするのに十分であると判断することと、
前記ＵＥの前記受信信号強度が、前記低減されたレベルで前記キャリアアグリゲーション機能を使用するアップリンク通信を可能にするのに十分であるという前記判断に応答して、前記低減されたレベルで前記キャリアアグリゲーション機能を使用してアップリンク方向において前記ＵＥと通信することと
をさらに備える、請求項９に記載の方法。
【請求項１１】
基地局装置であって、
前記基地局に通信可能に結合されたユーザ機器（ＵＥ）から、前記ＵＥのキャリアアグリゲーション機能の実行可能レベルを前記基地局が認識することができるように、能力情報メッセージを受信するための手段と、
前記能力情報メッセージから、前記ＵＥが、キャリアアグリゲーション機能をサポートするための、ワイヤレス通信規格によって指定された最小実行能力を下回る低減されたレベルで前記キャリアアグリゲーション機能をサポートすると判断するための手段と、
前記能力情報メッセージに基づいて、前記低減されたレベルで前記キャリアアグリゲーション機能を使用して前記ＵＥと通信することが可能であると判断する手段と、
前記キャリアアグリゲーション機能が前記低減されたレベルで使用され得るかどうかを前記ＵＥに示すための手段と
を備え、
前記示すことは、前記低減されたレベルで前記キャリアアグリゲーション機能を使用して前記ＵＥと通信することが可能であるという前記判断に応答して行われる、
基地局装置。
【請求項１２】
コンピュータ上で起動されるとき、請求項１乃至請求項４のうちのいずれか一項にしたがって方法を実行するための命令を備える、コンピュータプログラム。
【請求項１３】
コンピュータ上で起動されるとき、請求項９乃至請求項１０のうちのいずれか一項にしたがって方法を実行するための命令を備える、コンピュータプログラム。
【発明の詳細な説明】
【技術分野】
【０００１】
相互参照
[0001]  本特許出願は、両方とも本出願の譲受人に譲渡され、参照により本明細書に明確に組み込まれる、２０１３年５月３０日に出願された、Ｆｏｎｇらによる「Signaling Reduced User Equipment Performance in Wireless Communication Systems」と題する同時係属米国特許出願第１３／９０６，０６１号、および２０１２年６月１日に出願された、Ｆｏｎｇらによる「Signaling Reduced User Equipment Performance in Wireless Communication Systems」と題する同時係属米国仮特許出願第６１／６５４，７１０号の優先権の利益を主張する。
【背景技術】
【０００２】
[0002]  以下は、一般にワイヤレス通信に関し、より詳細には、ワイヤレスネットワークにおいてユーザ機器（ＵＥ：user equipment）機能(feature)サポートをシグナリングすることに関する。ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００３】
[0003]  概して、ワイヤレス多元接続通信システムは、各々が複数のモバイルデバイスのための通信を同時にサポートする、いくつかの基地局を含み得る。基地局は、ダウンストリームリンクおよびアップストリームリンク上でモバイルデバイスと通信し得る。各基地局は、セルのカバレージエリアと呼ばれることがあるカバレージ範囲を有する。ワイヤレスネットワーク通信システムが発展し続け、より高度になるにつれて、いくつかのデバイスは、システムを介したワイヤレス通信の品質または速度を改善する機能をサポートし得る。そのような機能の使用は、一般に容認された規格によって制御され得る。たとえば、規格は、ＵＥと基地局との間の通信中に使用されるべきある機能の最小要件のセットを記載し得る。しかしながら、場合によっては、最小要件を満たさないＵＥが、依然として、基地局通信中にその機能を使用することから恩恵を受け得る。
【発明の概要】
【０００４】
[0004]  ワイヤレス通信システムにおいてＵＥにおけるワイヤレス通信機能の低減されたまたは低下したサポートをシグナリングするための方法、システム、およびデバイスが提供される。ＵＥは、特定のワイヤレス通信機能をサポートする低下した能力を基地局にシグナリングし得、ＵＥは、ワイヤレス通信規格に記載された最小要件を下回る低減されたレベルでワイヤレス通信機能を使用して基地局と通信することを許可され得る。
【０００５】
[0005]  いくつかの例では、ワイヤレス通信のための新規の機能について説明する。ＵＥは、最小実行能力(minimum performance capability)がワイヤレス通信規格によって指定された、ワイヤレス通信システムの機能に関するＵＥの実行能力を取り出し得る。ＵＥは、ＵＥが、ワイヤレス通信規格によって指定された最小実行能力を下回る低減されたレベルでワイヤレス通信機能をサポートすることが可能であることを基地局にシグナリングし得る。ＵＥは、次いで、基地局からの指示に応答して、低減されたレベルで機能を使用して基地局と通信し得る。
【０００６】
[0006]  いくつかの例では、指示は、基地局からの低減されたレベルでの通信機能を含み得、ＵＥによる低減されたレベルでのワイヤレス通信機能の使用は、基地局から受信した許可（permission）を条件とし得る。いくつかの例では、指示は、ワイヤレス通信機能を使用して基地局にアップリンクデータを送信するための基地局からのスケジューリング命令のセットを含み得る。追加または代替として、指示は、基地局から、低減されたレベルで機能を使用する通信を認可（authorizing）するメッセージとして受信され得る。いくつかの例では、指示は、機能の使用を可能にする無線リソース制御（ＲＲＣ：radio resource control）構成メッセージを含み得る。いくつかの例では、指示は、基地局から、低減されたレベルで機能を使用する通信を拒否するメッセージを受信することと、メッセージに応答して、低減されたレベルで機能を使用して基地局と通信することを控えることとを含み得る。
【０００７】
[0007]  いくつかの例では、ＵＥは、ＵＥのその実行能力（performance capability）が、ワイヤレス通信規格によって指定された、ワイヤレス通信機能をサポートすることに関連する最小実行能力よりも小さいという記憶された指示を取り出すことによって、ＵＥの実行能力を取り出し得る。ＵＥの実行能力を基地局にシグナリングすることは能力交換プロセスに関し得る。いくつかの例では、基地局にシグナリングすることは、複数の所定の実行レベルのうちの１つまたは複数での機能のサポートを示すことを含み得る。いくつかの例では、ＵＥの実行能力は、ワイヤレス通信システムのキャリアアグリゲーション機能（carrier aggregation feature）のサポートを含み得る。いくつかのそのような例では、基地局にシグナリングすることは、アップリンク方向において低減されたレベルでおよびダウンリンク方向においてワイヤレス規格によって指定されたレベルでキャリアアグリゲーション機能をサポートするＵＥの能力を含むか、またはそれを指し得る。ＵＥは、低減された出力電力で基地局にアップリンク信号を送信し得る。ＵＥは、それに応じて、ワイヤレス規格に従って基地局からダウンリンク送信を受信し得る。
【０００８】
[0008]  いくつかの例では、ＵＥの実行能力を識別することは、複数の周波数帯域に関してＵＥの実行能力を識別することを含み得る。いくつかのそのような例では、ＵＥは、複数の周波数帯域のうちの１つまたは複数上で、低減されたレベルでワイヤレス通信機能を使用して基地局と通信し得る。
【０００９】
[0009]  いくつかの例では、ワイヤレス通信規格はロングタームエボリューション（ＬＴＥ（登録商標）：Long-Term Evolution）規格のバージョンを含み得る。たとえば、ワイヤレス通信機能は、ＬＴＥアドバンスト規格に記載されているキャリアアグリゲーションであり得る。
【００１０】
[0010]  追加の例では、ＵＥ装置は、ＵＥ能力モジュール（capability module）と、シグナリングモジュールと、通信モジュールとを含み得る。ＵＥ能力モジュールは、最小実行能力がワイヤレス通信規格によって指定された、ワイヤレス通信システムの機能に関するＵＥの実行能力を取り出すように構成され得る。シグナリングモジュールは、ワイヤレス通信規格によって指定された最小実行能力を下回る低減されたレベルでワイヤレス通信機能をサポートするＵＥの能力を基地局にシグナリングするように構成され得る。通信モジュールは、基地局からの指示に応答して、低減されたレベルで機能を使用して基地局と通信するように構成され得る。
【００１１】
[0011]  さらなる例では、ＵＥ装置は、最小実行能力がワイヤレス通信規格によって指定された、ワイヤレス通信システムの機能に関するＵＥの実行能力を取り出すための手段と、ワイヤレス通信規格によって指定された最小実行能力を下回る低減されたレベルでワイヤレス通信機能をサポートするＵＥの能力を基地局にシグナリングするための手段と、基地局からの指示に基づいて、低減されたレベルで機能を使用して基地局と通信するための手段とを含み得る。
【００１２】
[0012]  他の例では、ユーザ機器（ＵＥ）を使用するワイヤレス通信のためのコンピュータプログラム製品は有形コンピュータ可読媒体を含み得る。有形コンピュータ可読媒体は、最小実行能力がワイヤレス通信規格によって指定された、ワイヤレス通信システムの機能に関するＵＥの実行能力を取り出すためのコードと、ワイヤレス通信規格によって指定された最小実行能力を下回る低減されたレベルでワイヤレス通信機能をサポートするＵＥの能力を基地局にシグナリングするためのコードと、基地局からの指示に基づいて、低減されたレベルで機能を使用して基地局と通信するためのコードとを含み得る。
【００１３】
[0013]  さらに他の例では、基地局が、基地局に通信可能に結合されたユーザ機器（ＵＥ）から能力情報メッセージを受信し、能力情報メッセージから、ＵＥが、ワイヤレス通信機能をサポートするための、ワイヤレス通信規格によって指定された最小実行能力を下回る低減されたレベルでワイヤレス通信機能をサポートすると判断し、ワイヤレス通信機能が低減されたレベルで使用され得るかどうかをＵＥに示す、基地局を使用するワイヤレス通信のための方法について説明する。
【００１４】
[0014]  いくつかの例では、上記示すことは、低減されたレベルでワイヤレス通信機能を使用して基地局にアップリンクデータを送信するためのスケジューリング命令をＵＥに送信することを含み得る。追加または代替として、上記示すことは、低減されたレベルでワイヤレス通信機能を使用する許可（permission）を明確に示すメッセージをＵＥに送信することを含み得る。
【００１５】
[0015]  能力情報メッセージは、追加または代替として、低減されたレベルでワイヤレス通信機能を使用してＵＥと通信することが可能であると判断するために使用され得る。そのような例では、上記示すことは、判断に応答して行われ得る。いくつかの例では、能力情報メッセージは、ＵＥの受信信号強度が、低減されたレベルでワイヤレス機能を使用するアップリンク通信を可能にするのに十分であると判断するために基地局によって使用され得る。基地局は、ＵＥの受信信号強度が十分であるという判断に応答して、低減されたレベルでワイヤレス通信機能を使用してアップリンク方向においてＵＥと通信し得る。そのような例では、基地局は、アップリンク方向またはダウンリンク方向のうちの１つにおいて前記ワイヤレス通信機能を使用してＵＥと通信し、他の方向において前記ワイヤレス通信機能を使用せずにＵＥと通信し得る。いくつかの例では、基地局は、複数の周波数帯域に関してＵＥの実行能力を識別し、複数の周波数帯域のうちの１つまたは複数上で、低減されたレベルでワイヤレス通信機能を使用してＵＥと通信し得る。
【００１６】
[0016]  これらの例のうちのいくつかでは、ワイヤレス通信機能はキャリアアグリゲーション機能であり得、ワイヤレス通信規格はロングタームエボリューション（ＬＴＥ）規格のバージョンを含み得る。たとえば、ワイヤレス通信機能は、ＬＴＥアドバンスト規格に記載されているキャリアアグリゲーションであり得る。
【００１７】
[0017]  さらに他の例では、基地局装置は、基地局に通信可能に結合されたユーザ機器（ＵＥ）から能力情報メッセージを受信するための手段と、能力情報メッセージから、ＵＥが、ワイヤレス通信機能をサポートするための、ワイヤレス通信規格によって指定された最小実行能力を下回る低減されたレベルでワイヤレス通信機能をサポートすると判断するための手段と、ワイヤレス通信機能が低減されたレベルで使用され得るかどうかをＵＥに示すための手段とを含み得る。
【００１８】
[0018]  上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲の趣旨および範囲から逸脱しない。関連する利点とともに、本明細書で開示する概念の編成と動作の方法の両方に関して、それらの概念を特徴づけると考えられる特徴は、添付の図に関連して以下の説明を検討するとより良く理解されよう。図の各々は、例示および説明のみの目的で与えられ、特許請求の範囲の限界を定めるものではない。
【００１９】
[0019]  以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００２０】
【図１】[0020]  ワイヤレス通信システムのブロック図。
【図２】[0021]  様々な実施形態による、基地局とユーザ機器とを含む例示的なワイヤレス通信システムのブロック図。
【図３】[0022]  ＵＥと基地局との間のワイヤレス通信の一例のブロック図。
【図４Ａ】[0023]  例示的なＵＥ能力情報メッセージのブロック図。
【図４Ｂ】[0024]  例示的なＵＥ能力情報メッセージのブロック図。
【図４Ｃ】[0025]  例示的なＵＥ能力情報メッセージのブロック図。
【図５】[0026]  ＵＥと基地局との間のワイヤレス通信の一例のブロック図。
【図６】[0027]  ＵＥの一例のブロック図。
【図７】[0028]  基地局の一例のブロック図。
【図８】[0029]  ＵＥの観点からワイヤレスネットワークにおいて低減されたＵＥ機能サポートをシグナリングするための例示的な方法のフローチャート。
【図９】[0030]  ＵＥの観点からワイヤレスネットワークにおいて低減されたＵＥ機能サポートをシグナリングするための例示的な方法のフローチャート。
【図１０】[0031]  基地局の観点からワイヤレスネットワークにおいて低減されたＵＥ機能サポートをシグナリングするための例示的な方法のフローチャート。
【図１１】[0032]  基地局の観点からワイヤレスネットワークにおいて低減されたＵＥ機能サポートをシグナリングするための例示的な方法のフローチャート。
【発明を実施するための形態】
【００２１】
[0033]  ワイヤレス通信システムにおいて低減されたユーザ機器（ＵＥ）機能サポートをシグナリングするための方法、システム、およびデバイスについて説明する。ＵＥは、最小実行能力がワイヤレス通信規格によって指定された、キャリアアグリゲーションなど、ワイヤレス通信システムの機能に関するＵＥの実行能力を取り出し得る。とはいえ、そのようなＵＥは、依然として、低下したまたは低減されたレベルでワイヤレス通信機能を使用することから恩恵を受け得る。したがって、ＵＥは、ワイヤレス通信規格によって指定された最小実行能力を下回る低減されたレベルでＵＥがワイヤレス通信機能をサポートすることが可能であることを基地局にシグナリングし、シグナリングしたことに応答して、低減されたレベルで機能を使用して基地局と通信し得る。
【００２２】
[0034]  以下の説明は、例を与えるものであり、特許請求の範囲に記載される範囲、適用性、または構成を限定するものではない。本開示の趣旨および範囲から逸脱することなく、説明する要素の機能および構成において変更が行われ得る。様々な実施形態は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００２３】
[0035]  最初に図１を参照すると、ブロック図に、様々な実施形態によるワイヤレス通信システム１００の一例が示されている。システム１００は、基地局１０５と、モバイルデバイス１１５と、基地局コントローラ１２０と、コアネットワーク１３０とを含む（いくつかの実施形態では、コントローラ１２０はコアネットワーク１３０に組み込まれ得、いくつかの実施形態では、コントローラ１２０は基地局１０５に組み込まれ得る）。システム１００は、複数の異なるワイヤレス通信ネットワーク上での動作をサポートし得る。たとえば、システムは、モバイルデバイス１１５にＧＳＭ（登録商標）  ＥＤＧＥ無線アクセスネットワーク（ＧＥＲＡＮ：GSM（登録商標） EDGE Radio Access Network）、ＵＴＲＡＮおよびＥ−ＵＴＲＡＮ能力を与え得る。各ワイヤレス通信ネットワークは、特定のネットワークのプロトコルに従って被変調信号（modulated signal）を送信することができる。システム１００は、たとえば、モバイルデバイス１１５と基地局１０５との間の送信１２５を示す。送信１２５は、モバイルデバイス１１５から基地局１０５へのアップリンク送信および／または逆方向リンク送信、ならびに／あるいは基地局１０５からモバイルデバイス１１５へのダウンリンク送信および／または順方向リンク送信を含み得る。各被変調信号は、符号分割多元接続（ＣＤＭＡ）信号、時分割多元接続（ＴＤＭＡ）信号、周波数分割多元接続（ＦＤＭＡ）信号、直交ＦＤＭＡ（ＯＦＤＭＡ）信号、シングルキャリアＦＤＭＡ（ＳＣ−ＦＤＭＡ）信号などであり得る。各被変調信号は、異なるキャリア上で送られ得、制御情報（たとえば、パイロット信号）、オーバーヘッド情報、データなどを搬送し得る。
【００２４】
[0036]  モバイルデバイス１１５は、任意のタイプの移動局、モバイルデバイス、アクセス端末、加入者ユニット、またはユーザ機器であり得、本明細書では概してモバイルデバイスまたはユーザ機器と呼ぶ。モバイルデバイスまたはユーザ機器１１５は、セルラーフォンとワイヤレス通信デバイスとを含み得るが、携帯情報端末（ＰＤＡ）、スマートフォン、他のハンドヘルドデバイス、ネットブック、ノートブックコンピュータ、タブレットコンピュータなどをも含み得る。したがって、モバイルデバイスという用語は、特許請求の範囲を含めて、以下で、任意のタイプのワイヤレス通信デバイスまたはモバイル通信デバイスを含むものと広く解釈されたい。いくつかの例では、モバイルデバイス１１５はＵＥと呼ばれることがある。様々な実施形態によれば、モバイルデバイス１１５は、システム１００において利用可能な１つまたは複数のワイヤレス通信ネットワークを使用する通信が可能であり得る。
【００２５】
[0037]  システム１００を使用する利用可能なワイヤレス通信ネットワークのうちの１つまたは複数が拡張された通信能力を与える状況では、そのようなネットワーク上での通信が可能なモバイルデバイス１１５を有するユーザは、そのような拡張された通信能力がユーザのモバイルデバイス１１５上で利用可能であることを望み得る。たとえば、システム１００が、ＧＥＲＡＮ、ＵＴＲＡＮ、およびＥ−ＵＴＲＡＮをサポートする場合、Ｅ−ＵＴＲＡＮにおいて動作することが可能であるモバイルデバイス１１５のユーザは、ユーザがＥ−ＵＴＲＡＮサービスエリア内にいる場合、Ｅ−ＵＴＲＡＮサービスが利用可能であることを望み得る。さらに、ユーザは、Ｅ−ＵＴＲＡＮサービスへのアクセスに対する割増金を支払うことがあり、したがって、ユーザがＥ−ＵＴＲＡＮサービスエリア内にいるときにＥ−ＵＴＲＡＮサービスが利用可能であるという要望がさらに増加する。したがって、そのようなモバイルデバイス１１５は、ＧＥＲＡＮまたはＵＴＲＡＮを使用する通信が可能であり得るが、これらのネットワークの使用はあまり有利でないことがある。
【００２６】
[0038]  基地局１０５は、１つまたは複数の基地局アンテナを介してモバイルデバイス１１５とワイヤレス通信し得る。基地局１０５は、複数のキャリアを介してコントローラ１２０の制御下でモバイルデバイス１１５と通信するように構成され得る。基地局１０５のサイトの各々は、それぞれの地理的エリア１１０に通信カバレージを与えることができる。いくつかの実施形態では、基地局１０５は、ノードＢ、発展型ノードＢ（ｅノードＢ）、ホームノードＢ、および／またはホームｅノードＢと呼ばれることがある。各基地局１０５のためのカバレージエリアは、ここでは、１１０-ａ、１１０-ｂ、または１１０-ｃとして識別される。容易に理解されるように、複数の異なるネットワークを使用する通信の能力を与えるシステム１００では、各基地局１０５は、利用可能なネットワークのうちの１つまたは複数への接続の能力を含み得る。上記の例を続けると、システム１００は、ＧＥＲＡＮサービス、ＵＴＲＡＮサービス、およびＥ−ＵＴＲＡＮサービスを与え得、いくつかの基地局１０５がＥ−ＵＴＲＡＮサービスのみを与え、他の基地局１０５が、ＧＥＲＡＮサービス、ＵＴＲＡＮサービス、およびＥ−ＵＴＲＡＮサービスを与える。さらに、基地局１０５のカバレージエリア１１０は重複し得る。モバイルデバイス１１５は、カバレージエリア１１０-ａとカバレージエリア１１０-ｂとカバレージエリア１１０-ｃとの間で移動し得、基地局１０５とモバイルデバイス１１５との間で通信の連続性が維持される。
【００２７】
[0039]  場合によっては、ワイヤレス通信機能は、システム１００において、全部ではないが、一部のモバイルデバイス１１５または基地局によってサポートされ得る。そのような機能を使用するために、モバイルデバイス１１５は、時々、そのような機能のそれらのサポートを基地局１０５にシグナリングし得、基地局は、サポートされるときに機能を使用して通信するようにモバイルデバイス１１５を構成し得る。１つのそのようなワイヤレス通信機能はキャリアアグリゲーション(carrier aggregation)であり得る。キャリアアグリゲーションは、複数のコンポーネントキャリアをより広い全送信帯域幅にアグリゲートすることによって、モバイルデバイス１１５に与えられる有効帯域幅を拡張し得る。そのような機能の使用は、一般に、共同体によって広められた規格またはネットワークプロバイダによって定義された規格など、適用可能なワイヤレス通信規格によって支配され得る。そのような規格は、ワイヤレス通信機能を使用するための最小要件のセットを定義し得る。
【００２８】
[0040]  そのような規格の一例は、第３世代パートナーシッププロジェクト（３ＧＰＰ（登録商標）：3rd Generation Partnership Project）によって開発されたＬＴＥアドバンスト規格である。ＬＴＥ−Ａ規格における３ＧＰＰ技術仕様３６．１０１は、キャリアアグリゲーションをサポートする、モバイルデバイス１１５によって満たされるべき性能要件のセットを記載する。これらの性能要件は、たとえば、出力電力、周波数誤差要件、送信相互変調要件、基準感度電力レベル、電力入力レベル、隣接チャネル、ブロッキング特性、スプリアス応答、スプリアス放射、受信機イメージなどの要件を含み得る。
【００２９】
[0041]  いくつかの規格の下で、システム１００においてワイヤレス通信ネットワークに入るモバイルデバイス１１５は、ネットワークにおける、キャリアアグリゲーションに関連する帯域の各々のためのアップリンク方向とダウンリンク方向の両方において、モバイルデバイス１１５が、キャリアアグリゲーションをサポートするか、または別のワイヤレス機能をサポートするかのバイナリインジケータをシグナリングし得る。モバイルデバイス１１５は、モバイルデバイス１１５が、ある帯域のためのアップリンク方向とダウンリンク方向の両方において、規格によって記述される要件のすべてを満たす場合、モバイルデバイス１１５がその特定の帯域のためのキャリアアグリゲーションをサポートすることをシグナリングし得る。
【００３０】
[0042]  しかしながら、規格に従ってワイヤレス通信機能を使用するための最小性能要件を満たさないモバイルデバイス１１５が、低減されたまたは低下したレベルでその機能を使用することから恩恵を受けることが可能であり得る。キャリアアグリゲーションの例に戻ると、データトラフィックが、しばしばダウンリンクのほうへバイアスされるので、モバイルデバイス１１５は、アップリンクキャリアアグリゲーションとは対照的にダウンリンクキャリアアグリゲーションのために最適化され得る。そのようなモバイルデバイス１１５がアップリンクキャリアアグリゲーションの最小性能要件を満たすことが可能でないことがあり得る。たとえば、モバイルデバイス１１５は、複数の同時アップリンクキャリアを用いて動作しているとき、帯域外要件およびスプリアス発射要件に準拠するために、それの送信電力レベルを低減し得る。そのような条件の下で、モバイルデバイス１１５は、アップリンクキャリアアグリゲーションを用いた出力電力の最小性能要件を満たさないことがある。とはいえ、モバイルデバイス１１５が基地局１０５に極めて近接している場合、モバイルデバイス１１５の低減された出力電力は、依然として、複数のアップリンクキャリア上での通信をサポートするのに十分であり得る。
【００３１】
[0043]  上記の例のモバイルデバイス１１５が、帯域のためのアップリンク方向においてモバイルデバイス１１５がキャリアアグリゲーションをサポートするかどうかのバイナリインジケータのみを基地局１０５にシグナリングした場合、モバイルデバイス１１５は、それがワイヤレス通信規格の最小性能要件を満たさないので、それがその帯域または帯域組合せのためのアップリンクキャリアアグリゲーションをサポートしないことをシグナリングするであろう。このシグナリングの結果は、モバイルデバイス１１５がその帯域または帯域組合せのためのアップリンクキャリアアグリゲーションを使用することができないであろうということであり得る。
【００３２】
[0044]  しかしながら、本開示のいくつかの態様では、モバイルデバイス１１５は、キャリアアグリゲーションなどのワイヤレス通信機能をサポートするための、適用可能なワイヤレス通信規格によって指定された最小実行能力を下回るレベルで機能をサポートする、低減されたまたは低下した能力をシグナリングするように構成され得る。ワイヤレス通信機能がこの低減されたレベルで基地局１０５とモバイルデバイス１１５との間でサポートされ得る場合、基地局は、モバイルデバイス１１５が、機能をサポートするための規格の最小性能要件を満たさない場合でも、モバイルデバイス１１５との通信におけるワイヤレス通信機能の使用を可能にし得る。
【００３３】
[0045]  次に図２を参照しながら、基地局１０５-ａとＵＥ１１５-ａとを含むシステム２００のブロック図について説明する。このシステム２００は、図１のシステム１００の一部分であり得る。基地局１０５-ａはアンテナ２５２-ａ〜２５２-ｎを装備し得、ＵＥ１１５-ａはアンテナ２３４-ａ〜２３４-ｘを装備し得る。ＵＥ１１５-ａおよび基地局１０５-ａは、上記で説明したのと同様に、たとえば、Ｅ−ＵＴＲＡＮ、ＵＴＲＡＮ、およびＧＥＲＡＮなど、１つまたは複数のワイヤレス通信ネットワークのネットワークプロトコルに関連する能力交換プロセスに従って通信し得る。ＵＥ１１５-ａにおいて、送信プロセッサ２２０は、データソースからデータを受信し、プロセッサ２４０と、ＵＥ能力モジュール２８４と、シグナリングモジュール２８６とからデータを受信し得る。いくつかの例では、ＵＥ能力モジュール２８４またはシグナリングモジュール２８６の１つまたは複数の態様はプロセッサ２４０によって実装され得る。
【００３４】
[0046]  ＵＥ能力モジュール２８４は、ワイヤレス通信規格によって指定された、ワイヤレス通信機能をサポートすることに関連する最小実行能力よりも小さいレベルでワイヤレス通信機能（たとえば、キャリアアグリゲーション）をサポートするための実行能力を取り出すように構成され得る。シグナリングモジュール２８６は、ＵＥ１１５-ａが、ワイヤレス通信規格によって指定された最小実行能力を下回る低減されたレベルでワイヤレス通信機能をサポートするＵＥ１１５-ａの能力をシグナリングするように、ＵＥ１１５-ａと基地局１０５-ａとの間のシグナリングを制御するように構成され得る。このシグナリングは、明示的（たとえば、低減されたレベルで機能をサポートするＵＥの能力を確認するメッセージ）または暗黙的（たとえば、基地局が、低減されたレベルでの機能のサポートをそこから推論し得る、ＵＥの電力レベルを含んでいるメッセージ）であり得る。基地局１０５-ａからの指示に応答して、ＵＥは、低減されたレベルでワイヤレス通信機能を使用して基地局１０５-ａと通信し得る。基地局１０５-ａからの指示は、低減されたレベルで機能を使用する許可をＵＥ１１５-ａに明確に与えるメッセージであり得る。追加または代替として、指示は、暗黙的であり得る（たとえば、基地局１０５-ａは、機能を使用するようにＵＥ１１５-ａをスケジュールする）。一例では、プロセッサ２４０は、基地局とのスケジュールされた通信において、低減されたレベルでワイヤレス通信機能を実装するために送信プロセッサ２２０を制御し得る。
【００３５】
[0047]  送信プロセッサ２２０は、プロセッサ２４０、ＵＥ能力モジュール２８４、および／またはシグナリングモジュール２８６から制御情報を受信し得る。制御情報は、情報の中でも、ワイヤレス通信機能の使用に関係する情報を含み得る。送信プロセッサ２２０は、データと制御情報とを処理（たとえば、符号化およびシンボルマッピング）して、それぞれデータシンボルと制御シンボルとを取得し得る。送信プロセッサ２２０はまた、基準シンボルとセル固有基準信号とを生成し得る。送信（ＴＸ）多入力多出力（ＭＩＭＯ）プロセッサ２３０は、適用可能な場合、データシンボル、制御シンボル、および／または基準シンボルに対して空間処理（たとえば、プリコーディング）を実行し得、出力シンボルストリームを送信変調器２３２-ａ〜２３２-ｘに与え得る。各変調器２３２は、（たとえば、ＯＦＤＭなどのために）それぞれの出力シンボルストリームを処理して、出力サンプルストリームを取得し得る。各変調器２３２はさらに、出力サンプルストリームを処理（たとえば、アナログ変換、増幅、フィルタ処理、およびアップコンバート）して、アップリンク信号を取得し得る。変調器２３２-ａ〜２３２-ｘからのアップリンク信号は、それぞれアンテナ２３４-ａ〜２３４-ｘを介して送信され得る。
【００３６】
[0048]  基地局１０５-ａにおいて、アンテナ２５２-ａ〜２５２-ｎは、ＵＥ１１５-ａからアップリンク信号を受信し得、受信した信号をそれぞれ復調器２５４-ａ〜２５４-ｎに与え得る。各復調器２５４は、それぞれの受信信号を調整（たとえば、フィルタ処理、増幅、ダウンコンバート、およびデジタル化）して、入力サンプルを取得し得る。各復調器２５４は、（たとえば、ＯＦＤＭなどのために）入力サンプルをさらに処理して、受信シンボルを取得し得る。ＭＩＭＯ検出器２５６は、すべての復調器２５４-ａ〜２５４-ｎから受信シンボルを取得し、適用可能な場合は受信シンボルに対してＭＩＭＯ検出を実行し、検出シンボルを与え得る。受信プロセッサ２５８が、検出シンボルを処理（たとえば、復調、デインターリーブ、および復号）し、復号されたデータをデータ出力に与え、復号された制御情報をプロセッサ２８０、またはメモリ２８２に与え得る。受信プロセッサ２５８はまた、復号されたデータ中に存在し得るビット誤りを訂正するために、復号されたデータに対して誤り訂正を実行し得る。
【００３７】
[0049]  基地局１０５-ａにおいてＵＥ１１５-ａから受信したデータの一部分は、ＵＥ１１５-ａのシグナリングモジュール２８６によって生成された（１つまたは複数の）ＵＥ能力情報メッセージ（capability information message）を含み得る。ＵＥ能力分析モジュール２８８は、ＵＥ能力情報メッセージから、ＵＥが、ワイヤレス通信機能をサポートするための、ワイヤレス通信規格によって指定された最小実行能力を下回る低減されたレベルでワイヤレス通信機能をサポートすると判断し得る。ＵＥ能力分析モジュール２８８は、受信したＵＥ能力情報メッセージから、および観測または報告されたネットワーク状態から、ＵＥ１１５-ａが、低減されたレベルでワイヤレス通信機能を使用することを可能にすることが許可されるまたは実現可能であるかどうかを判断し得る。低減されたレベルでのワイヤレス通信機能の使用が許可されると判断された場合、基地局１０５-ａのシグナリングモジュール２９０は、低減されたレベルでワイヤレス通信機能を使用する許可をＵＥ１１５-ａにシグナリングし得る。いくつかの例では、この許可は、低減されたレベルでワイヤレス通信機能を使用する基地局との通信のためにＵＥ１１５-ａをスケジュールするために、ＵＥ１１５-ａのためのスケジューリングデータとしてシグナリングされ得る。追加または代替として、許可は、ＵＥ１１５-ａが、低減されたレベルでワイヤレス通信機能を使用することを明確に認可（authorize）または許可（permit）するメッセージとしてシグナリングされ得る。
【００３８】
[0050]  アップリンク上では、基地局１０５-ａにおいて、送信プロセッサ２６４が、データソースからならびにプロセッサ２８０およびメモリ２８２からデータを受信し、処理し得る。送信プロセッサ２６４はまた、基準信号のための基準シンボルを生成し得る。送信プロセッサ２６４からのシンボルは、適用可能な場合はＴＸ  ＭＩＭＯプロセッサ２６６によってプリコードされ、さらに（たとえば、ＳＣ−ＦＤＭＡなどのために）復調器２５４-ａ〜２５４-ｎによって処理され、ユーザ機器１１５-ａに送信され得る。ユーザ機器１１５-ａにおいて、基地局１０５-ａからのダウンリンク信号は、アンテナ２３４によって受信され、復調器２３２によって処理され、適用可能な場合はＭＩＭＯ検出器２３６によって検出され、さらに受信プロセッサ２３８によって処理されて、基地局１０５-ａによって送られた復号されたデータと制御情報とが取得され得る。受信プロセッサ２３８は、復号されたデータをデータ出力に与え、復号された制御情報をプロセッサ２４０に与え得る。ユーザ機器１１５-ａの構成要素は、個別にまたは集合的に、ハードウェア中の適用可能な機能の一部または全部を実行するように適応された１つまたは複数の特定用途向け集積回路（ＡＳＩＣ）を用いて実装され得る。言及したモジュールの各々は、図１〜図２のシステム１００、２００の動作に関係する１つまたは複数の機能を実行するための手段であり得る。同様に、基地局１０５-ａの構成要素は、個別にまたは集合的に、ハードウェア中の適用可能な機能の一部または全部を実行するように適応された１つまたは複数の特定用途向け集積回路（ＡＳＩＣ）を用いて実装され得る。言及したモジュールの各々は、図１〜図２のシステム１００、２００の動作に関係する１つまたは複数の機能を実行するための手段であり得る。
【００３９】
[0051]  図３に、ＵＥ１１５-ｂが、ＵＥ１１５-ｂと基地局１０５-ｂとの間のデータの送信または音声通信をセットアップあるいは変更するために能力交換プロセス中に基地局１０５-ｂと通信する、例示的なシステム３００を示す。この例のシステム３００は、図１または図２を参照しながら上記で説明したシステム１００、２００のうちのいずれかの一例であり得る。したがって、ＵＥ１１５-ｂは、図１または図２で説明したモバイルデバイス１１５のうちのいずれかの一例であり得、基地局１０５-ｂは、図１または図２で説明した基地局１０５のうちのいずれかの一例であり得る。
【００４０】
[0052]  図３に示されているように、ＵＥ１１５-ｂは、ＵＥ能力情報メッセージ３１０中で、ワイヤレス通信機能のサポートを含むそれの能力を基地局１０５-ｂにシグナリングし得る。いくつかの例では、ＵＥ１１５-ｂは、基地局１０５-ｂからＵＥ能力照会メッセージ（capability enquiry message）３０５を受信したことに応答して、ＵＥ能力情報メッセージ３１０を基地局１０５-ｂに送信し得る。追加または代替として、ＵＥ１１５-ｂは、ＵＥの能力が、基地局１０５-ｂに前に報告されたＵＥの能力から変化したというＵＥによる判断に応答して、ＵＥ能力情報メッセージ３１０を基地局１０５-ｂに送信し得る。いくつかの例では、ＵＥ能力照会メッセージ３０５およびＵＥ能力情報メッセージ３１０は無線リソース制御（ＲＲＣ）レイヤメッセージであり得、メッセージコンテンツはビットマップコンテンツを含み得る。
【００４１】
[0053]  図１〜図２を参照しながら上記で説明したように、場合によっては、ＵＥ１１５-ｂが、依然として、ネットワーク状態に基づいて実行可能な限り、キャリアアグリゲーションなどの特定の機能を使用して通信するために、その機能をサポートするための規格の要件のうちのすべてを満たさないことが有益であり得る。したがって、この例のＵＥ能力情報メッセージ３１０は、ＵＥ１１５-ｂが、キャリアアグリゲーションをサポートするが、容認されたワイヤレス通信規格の最小要件を下回る低下したまたは低減されたレベルでそれをサポートすることが可能であることを基地局１０５-ｂにシグナリングし得る。ワイヤレス通信規格は、たとえば、業界規格あるいは特定のネットワークの所有者または事業者の要件であり得る。
【００４２】
[0054]  ＵＥ能力情報メッセージ３１０を受信したことに応答して、基地局１０５-ｂは、ネットワーク状態が、規格の最小要件を下回る、ＵＥ１１５-ｂにおけるキャリアアグリゲーションの使用を許可するかどうかを判断し得る。たとえば、基地局１０５-ｂは、ＵＥ能力情報メッセージ３１０から、ＵＥ１１５-ｂが、アップリンクキャリアアグリゲーションをサポートするための、規格によって定義された出力電力の最小要件を満たさないと判断し得る。しかしながら、基地局１０５-ｂは、ＵＥ能力情報メッセージ３１０および／またはＵＥの測定信号強度から、アップリンクキャリアアグリゲーションが可能であるとさらに判断し、ＵＥ１１５-ｂがアップリンクキャリアアグリゲーションを使用して基地局１０５-ｂと通信することを許可し得る。一方、アップリンクキャリアアグリゲーションが可能でないか、または品質管理要件を満たさないであろうと基地局１０５-ｂが判断した場合、基地局１０５-ｂは、ＵＥ１１５-ｂが、基地局１０５-ｂとのそれの通信においてアップリンクキャリアアグリゲーションを利用することを許可しないと判断し得る。
【００４３】
[0055]  アップリンクキャリアアグリゲーションがＵＥ１１５-ｂのために許可されると判断すると、基地局１０５-ｂは、低減されたレベルでアップリンクキャリアアグリゲーションを採用するそれの許可をＵＥ１１５-ｂに示し得る。いくつかの例では、基地局１０５-ｂは、アップリンクキャリアアグリゲーションを使用する、基地局１０５-ｂとＵＥ１１５-ｂとの間のデータ送信または音声送信をスケジュールするための１つまたは複数のスケジューリングメッセージ３１５をＵＥ１１５-ｂに送信することによって暗黙的にその許可を示し得る。追加または代替として、基地局１０５-ｂは、アップリンクキャリアアグリゲーションを使用する許可を明確にシグナリングすることによって、低減されたレベルでアップリンクキャリアアグリゲーションを可能にする、ＲＲＣ構成メッセージなどのメッセージをＵＥ１１５-ｂに送信し得る。代替的に、アップリンクキャリアアグリゲーションがＵＥ１１５-ｂのために許可されないと判断すると、基地局１０５-ｂは、アップリンクキャリアアグリゲーションを使用しない、基地局１０５-ｂとＵＥ１１５-ｂとの間のデータ送信または音声送信をスケジュールするための１つまたは複数のスケジューリングメッセージ３１５をＵＥ１１５-ｂに送信し、および／または低減されたレベルでアップリンクキャリアアグリゲーションを使用する通信を明確に拒否するメッセージをＵＥ１１５-ｂに送信し得る。そのような拒否に応答して、ＵＥ１１５-ｂは、低減されたレベルでアップリンクキャリアアグリゲーションを使用して基地局と通信することを控え得る。
【００４４】
[0056]  図４Ａ〜図４Ｃに、ＵＥによってサポートされる通信能力および通信機能を示すために能力交換プロセス中にＵＥ（たとえば、図１〜図３のＵＥ１１５）によって基地局（たとえば、図１〜図３の基地局１０５）に送信され得るＵＥ能力情報メッセージ３１０の異なる例を示す。これらの図のＵＥ能力情報メッセージ３１０は、図３を参照しながら上記で説明したＵＥ能力情報メッセージ３１０の例であり得る。追加または代替として、図４Ａ〜図４Ｃで説明するＵＥ能力情報メッセージ３１０は、いくつかの例では、３ＧＰＰ  ＴＳ３６．３３１ＬＴＥ無線リソース制御プロトコル仕様に記載されているＵＥ能力照会メッセージのバージョンまたは変更形態であり得る。
【００４５】
[0057]  図４Ａ〜図４ＣのＵＥ能力情報メッセージ３１０の各々は、そのメッセージをＵＥ能力情報メッセージと識別するメッセージタイプフィールド４０５と、ＲＲＣトランザクションＩＤフィールド４１０と、ＵＥ能力情報フィールド４１５とを含み得る。ＵＥ能力情報フィールド４１５の各々は、ＵＥによってサポートされる規格のバージョンを定義するアクセス層リリース情報（access stratum release information）４２０と、規格によって定義されたＵＥのカテゴリーを示すＵＥカテゴリー情報４２５と、ＲＦパラメータ情報４３０とを含み得る。ＵＥ能力情報４１５は、明快のために図４Ａ〜図４Ｃに示されていない他の情報も含み得る。
【００４６】
[0058]  図４Ａの例示的なＵＥ能力情報メッセージ３１０-ａでは、ＲＦパラメータ情報４３０は、サポートされる帯域情報４３５と、サポートされるキャリアアグリゲーション帯域情報４４０と、非準拠（non-compliant）ＣＡサポートをもつ帯域情報４４５とを含み得る。サポートされる帯域情報４３５は、ＵＥがデータを送信および受信することが可能である、規格によって定義された、いくつかの帯域のうちのいずれかに関して示し得る。たとえば、サポートされる帯域情報は、ＵＥによってどのＥ−ＵＴＲＡ無線周波数帯域がサポートされるか、および各サポートされる帯域が全二重動作において利用可能であるか、半二重動作において利用可能であるかを示し得る。
【００４７】
[0059]  サポートされる帯域キャリアアグリゲーション帯域組合せ情報４４０は、ＵＥが、規格の最小要件に従ってキャリアアグリゲーション通信を行うことが可能である、規格によって定義された帯域を定義し得る。いくつかの例では、サポートされるキャリアアグリゲーション帯域情報４４０は、各サポートされる帯域が、アップリンク方向においてキャリアアグリゲーション通信を行うことが可能であるか、ダウンリンク方向においてそれを行うことが可能であるか、またはその両方においてそれを行うことが可能であるかに関する情報を含み得る。
【００４８】
[0060]  ＵＥが、規格に完全に従ってキャリアアグリゲーションをサポートすることが可能である帯域または帯域組合せを指定する、サポートされるキャリアアグリゲーション帯域情報４４０に加えて、ＲＦパラメータ情報４３０は、さらに、ＵＥが、キャリアアグリゲーションをサポートするが、キャリアアグリゲーションをサポートするための、規格の最小要件に準拠しないレベルでそれをサポートとすることが可能である帯域を示すための、非準拠キャリアアグリゲーションサポートをもつ帯域情報４４５を与え得る。
【００４９】
[0061]  図４Ｂに示された例示的なＵＥ能力情報メッセージ３１０-ｂは図４Ａのものと同様であり得、図４ＢのＵＥ能力情報メッセージ３１０-ｂは、非準拠キャリアアグリゲーション仕様情報４５０を指定する、ＲＦパラメータ４３０-ａ中の追加のフィールドを含む。非準拠キャリアアグリゲーション仕様情報４５０は、各帯域についてサポートされる非準拠キャリアアグリゲーションに関する詳細を示し得る。たとえば、異なる程度の非準拠キャリアアグリゲーションサポートは、規格の下でキャリアアグリゲーションをサポートするための最小要件を満たすことに関する異なるタイプの欠如（deficiency）または欠如の組合せを示す有限数のカテゴリーに分割され得る。ＵＥが非準拠キャリアアグリゲーションをサポートする各帯域は、これらのあらかじめ定義されたカテゴリーのうちの１つに一致させられ得、非準拠キャリアアグリゲーションサポートをもつ帯域情報４４５中に示される、帯域の各々に関連するカテゴリーは、非準拠キャリアアグリゲーション仕様情報４５０において指定され得る。
【００５０】
[0062]  いくつかの例では、カテゴリーは、ＵＥ出力電力非準拠（noncompliance）、不完全な帯域サポート非準拠（たとえば、指定された帯域の下側、中間、または上側部分上でのみサポートされるキャリアアグリゲーション）、周波数誤差非準拠、送信相互変調非準拠、基準感度電力レベル非準拠、電力入力レベル非準拠、隣接チャネル非準拠、ブロッキング特性非準拠、スプリアス応答非準拠、スプリアス発射非準拠、受信機画像非準拠、受信機画像非準拠、他のタイプの非準拠、および／またはそれらの組合せに従って定義され得る。追加または代替の例では、非準拠キャリアアグリゲーション仕様情報４５０は、各示された帯域を非準拠の所定のカテゴリーに割り当てることなしに、各示された帯域のキャリアアグリゲーションサポートに関連する非準拠（non-compliancy）のタイプを示し得る。
【００５１】
[0063]  図４Ｃに示されたＵＥ能力情報メッセージ３１０-ｃの例は、図４Ｃの例におけるＲＦパラメータ情報４３０-ｂがＵＥ非準拠状態情報４５５のフィールドを含み得ることを除いて、図４Ａと図４Ｂとに示された例と同様であり得る。ＵＥ非準拠状態情報４５５は、キャリアアグリゲーションをサポートするための、実施されているワイヤレス通信規格の最小要件を下回るＵＥの特性またはパラメータを含み得る。
【００５２】
[0064]  ＵＥ非準拠状態情報（non-compliant conditions information）４５５は、限定はしないが、出力電力、周波数誤差、送信相互変調、基準感度電力レベル、電力入力レベル、隣接チャネル、ブロッキング特性、スプリアス応答、スプリアス発射、受信機画像に関するＵＥの現在の仕様または性能を含むＵＥのデータ、および／またはＵＥにおける非準拠状態に関する他の関連するデータを含み得る。この情報４５５は、ネットワーク状態がＵＥによる指定された帯域のためのキャリアアグリゲーションの非準拠低下サポートを許可するか否かを判断するために基地局によって使用され得る。
【００５３】
[0065]  いくつかの例では、図４Ｂの例における非準拠キャリアアグリゲーション分類情報４５０と図４Ｃの例における非準拠ＵＥ状態情報４５５の両方はＵＥ能力情報メッセージの単一または複数のフィールド中に含まれ得る。
【００５４】
[0066]  図５に、ＵＥ１１５-ｃが、ＵＥ１１５-ｃと基地局１０５-ｃとの間のデータの送信または音声通信をセットアップあるいは変更するために基地局１０５-ｃと通信する、別の例示的なシステム５００を示す。この例のシステム５００は、図１〜図３を参照しながら上記で説明したシステム１００、２００、３００のうちのいずれかの一例であり得る。
【００５５】
[0067]  ５０５において基地局１０５-ｃとの接続を初期化した後、基地局１０５-ｃはＵＥ能力照会メッセージ３０５-ａをＵＥ１１５-ｃに送信し得る。ＵＥ能力照会メッセージ３０５-ａは、図３を参照しながら上記で説明したＵＥ能力照会メッセージ３０５の一例であり得る。それに応答して、ＵＥ１１５-ｃは、第１のＵＥ能力情報メッセージ３１０-ｄ中で、ワイヤレス通信機能のサポートを含むそれの能力を基地局１０５-ｃにシグナリングし得る。ＵＥ能力情報メッセージ３１０-ｄは、図３〜図４Ｃを参照しながら上記で説明したＵＥ能力情報メッセージ３１０のうちのいずれかの一例であり得る。
【００５６】
[0068]  この例の第１のＵＥ能力情報メッセージ３１０-ｄは、ＵＥ１１５-ｃが、キャリアアグリゲーションをサポートするが、キャリアアグリゲーションをサポートするための、適用可能な規格（３ＧＰＰ規格、ワイヤレスキャリア固有の規格、または他の規格）によって必要とされる最小出力電力よりもモバイルデバイス１１５-ｃの出力電力が低いことによる低下したまたは低減されたレベルでそれをサポートすることが可能であることを基地局１０５-ｃにシグナリングし得る。たとえば、ＵＥ１１５-ｃは、最大出力電力で送信することが適切でない基地局１０５-ｃに十分に近いことがある。
【００５７】
[0069]  ＵＥ能力情報メッセージ３１０-ｄを受信したことに応答して、基地局１０５-ｃは、ＵＥ１１５-ｃと通信するために、ＵＥ１１５-ｃによって提供された低下したまたは低減されたレベルのキャリアアグリゲーションを使用することの許容可能性の評価５１０-ａを実行し得る。この例では、基地局１０５-ｃは、ＵＥ１１５-ｃが、アップリンクキャリアアグリゲーションをサポートするための、規格によって必要とされる最小出力電力よりも小さい出力電力で動作しているとしても、基地局１０５-ｃは、ＵＥ１１５-ｃの出力電力が、ネットワーク状態を所与としてアップリンクキャリアアグリゲーションをサポートするのに十分であると判断し得ると判断し得る。したがって、基地局は、両方のアップリンク方向においてキャリアアグリゲーションを使用して基地局１０５-ｃと通信するようにＵＥをスケジュールするための１つまたは複数のスケジューリングメッセージ３１５-ａをＵＥ１１５-ｃに送信し得る。
【００５８】
[0070]  この例を続けると、ＵＥ１１５-ｃは、最終的に異なるロケーションに移動し得るか、またはＵＥ１１５-ｃが５１５においてそれの出力電力イベントをさらに低減するようにネットワーク状態が変化し得る。第１のＵＥ能力情報メッセージ３１０-ｄがもはや正確でないと判断したことに応答して、ＵＥ１１５-ｃは、基地局１０５-ｃに新しいＵＥ能力情報メッセージ３１０-eを送信し得る。新しいＵＥ能力情報メッセージ３１０-eでは、ＵＥ１１５-ｃは、ＵＥ１１５-ｃが、依然として、規格に従ってダウンリンクキャリアアグリゲーションをサポートすることが可能であり、ＵＥ１１５-ｃが、依然として、アップリンクキャリアアグリゲーションを実行する技術的能力を有するが、ＵＥ１１５-ｃの出力電力が、現在、キャリアアグリゲーションをサポートするための、適用可能な規格によって指定された最小出力電力よりもはるかに小さいことを基地局に示し得る。この新しい情報を使用して、基地局１０５-ｃは、５１０-ｂにおいて、ＵＥ１１５-ｃと通信するために、ＵＥ１１５-ｃによって提供された低下したまたは低減されたレベルのキャリアアグリゲーションを使用することの許容可能性を再評価する。基地局１０５-ｃは、キャリアアグリゲーションを使用するＵＥ１１５-ｃとの通信が、依然として、ダウンリンク方向において許可されるが、もはやアップリンク方向において許可されないと判断し得る。したがって、基地局１０５-ｃは、ダウンリンク方向のみにおいてキャリアアグリゲーションを使用するＵＥ１１５-ｃとの通信をスケジュールするためのさらなるスケジューリングメッセージ３１５-ｂをＵＥ１１５-ｃに送信し得る。
【００５９】
[0071]  図６は、本明細書で説明する原理に従って、低減されたレベルでのワイヤレス通信機能の使用を提供する例示的なワイヤレス通信システム６００である。システム６００は、上記で説明したように、１つまたは複数のワイヤレスネットワークへのアクセスを受信するために基地局１０５-ｄと通信し得るＵＥ１１５-ｄを含む。ＵＥ１１５-ｄは、上述の図を参照しながら上記で説明したＵＥ１１５のうちのいずれかの一例であり得、基地局１０５-ｄは、上述の図を参照しながら上記で説明した基地局１０５のうちのいずれかの一例であり得る。この例のＵＥ１１５-ｄは、（１つまたは複数の）受信機モジュール６１０と（１つまたは複数の）送信機モジュール６１５とに通信可能に結合された１つまたは複数のアンテナ６０５を含み得、（１つまたは複数の）受信機モジュール６１０と（１つまたは複数の）送信機モジュール６１５とは制御モジュール６２０に通信可能に結合され得る。
【００６０】
[0072]  制御モジュール６２０は、１つまたは複数のプロセッサモジュール６２５と、プロセッサモジュール６２５が実行するためのソフトウェア６３５を含んでいるメモリ６３０と、ＵＥ能力モジュール２８４-ａと、シグナリングモジュール２８６-ａと、通信モジュール６５０とを含み得る。ＵＥ能力モジュール２８４-ａ、シグナリングモジュール２８６-ａ、または通信モジュール６５０の１つまたは複数の構成要素は、プロセッサモジュール６２５によって実行される、メモリ６３０中のソフトウェア６３５によって実装され得る。ＵＥ能力モジュール２８４-ａおよびシグナリングモジュール２８６-ａは、それぞれ図２のＵＥ能力モジュール２８４およびシグナリングモジュール２８６の例であり得る。
【００６１】
[0073]  ＵＥ能力モジュール２８４-ａは、最小実行能力がワイヤレス通信規格（たとえば、ＬＴＥアドバンスト）によって指定された、ワイヤレス通信システム６００の機能（たとえば、キャリアアグリゲーション）に関するＵＥ１１５-ｄの実行能力を取り出すように構成され得る。いくつかの例では、これは、メモリ６３０からＵＥの実行能力の記憶された値を読み取ることを含み得る。記憶された値は、ＵＥの実行能力が、ワイヤレス通信規格によって指定された最小実行能力を下回るという明示的な指示を含み得る。代替的に、記憶された値はＵＥの実行能力のみを含み得、規格によって定義された最小実行能力の非準拠は、規格によって定義された最小実行能力と比較したＵＥの実行能力によって暗黙的に示され得る。いくつかの例では、ＵＥ能力モジュール２８４-ａは、ＵＥ１１５-ｄの実行能力に一致する、いくつかの所定の実行能力レベルのうちの１つまたは複数を取り出すか、または識別し得る。いくつかの例では、複数の所定の実行能力レベルは、ワイヤレス規格の非準拠の程度を変更することを示し得る。
【００６２】
[0074]  シグナリングモジュール２８６-ａは、ワイヤレス通信規格によって指定された最小実行能力を下回る低減されたレベルでワイヤレス通信機能をサポートするＵＥ１１５-ｄの能力を基地局１０５-ｄにシグナリングするように構成され得る。たとえば、ＵＥ１１５-ｄの出力電力は、キャリアアグリゲーションをサポートするための、ワイヤレス通信規格において指定された最小出力電力よりも小さくなり得る。この例では、シグナリングモジュール２８６-ａは、ＵＥ１１５-ｄが非準拠電力レベルでキャリアアグリゲーションをサポートすることが可能であることを基地局１０５-ｄにシグナリングすることを（１つまたは複数の）送信機モジュール６１５に行わせ得る。シグナリングモジュール２８６-ａは、１つまたは複数のＵＥ能力情報メッセージ（たとえば、図３、図４Ａ〜図４Ｃ、または図５のＵＥ能力情報メッセージ３１０のうちのいずれか）を使用してこの情報を基地局１０５-ｄに与え得る。いくつかの例では、このシグナリングは、ＵＥ１１５-ｄの実行能力に一致する１つまたは複数の識別された所定の実行能力レベルを含み得る。
【００６３】
[0075]  通信モジュール６５０は、シグナリングモジュール２８６-ａにおいて生成されたシグナリングに応答して、低減されたレベルで機能を使用して基地局１０５-ｄと通信するために（１つまたは複数の）送信機モジュール６１５と（１つまたは複数の）受信機モジュール６１０とを制御するように構成され得る。いくつかの例では、通信モジュール６５０は、基地局１０５-ｄとＵＥ１１５-ｄとの間の通信のために基地局１０５-ｄからスケジューリング情報を受信し得る。
【００６４】
[0076]  プロセッサモジュール６２５は、たとえば、ＱＵＡＬＣＯＭＭ  Ｉｎｃｏｒｐｏｒａｔｅｄ、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）など、インテリジェントハードウェアデバイスを含み得る。メモリ６３０は、ランダムアクセスメモリ（ＲＡＭ）と読取り専用メモリ（ＲＯＭ）とを含み得る。メモリ６３０は、実行されると（またはコンパイルされ、実行されると）プロセッサモジュール６２５に本明細書で説明する様々な機能を実行させるように構成された命令を含んでいるコンピュータ可読、コンピュータ実行可能ソフトウェアコード６３５を記憶し得る。
【００６５】
[0077]  （１つまたは複数の）送信機モジュール６１５は、上記で説明したように、１つまたは複数のワイヤレス通信ネットワーク（たとえば、Ｅ−ＵＴＲＡＮ、ＵＴＲＡＮなど）との通信を確立するために基地局１０５-ｄ（および／または他の基地局）に送信し得る。（１つまたは複数の）受信機モジュール６１０は、上記で説明したように、基地局１０５-ｄ（および／または他の基地局）からダウンリンク送信を受信し得る。ダウンリンク送信はＵＥ１１５-ｄにおいて受信され、処理され得る。
【００６６】
[0078]  ＵＥ１１５-ｄの構成要素は、個別にまたは集合的に、ハードウェア中の適用可能な機能の一部または全部を実行するように適応された１つまたは複数の特定用途向け集積回路（ＡＳＩＣ）を用いて実装され得る。言及したモジュールの各々は、ＵＥ１１５-ｄの動作に関係する１つまたは複数の機能を実行するための手段であり得る。
【００６７】
[0079]  図７は、本明細書で説明する原理に従って、低減されたレベルでのワイヤレス通信機能の使用を提供する例示的なワイヤレス通信システム７００である。システム７００は、上記で説明したように、１つまたは複数のワイヤレスネットワークへのアクセスを受信するためにそれがＵＥ１１５-eと通信し得る基地局１０５-eを含む。基地局１０５-eは、上述の図を参照しながら上記で説明した基地局１０５のうちのいずれかの一例であり得、ＵＥ１１５-eは、上述の図を参照しながら上記で説明したＵＥ１１５のうちのいずれかの一例であり得る。この例の基地局１０５-eは、（１つまたは複数の）受信機モジュール７１０と（１つまたは複数の）送信機モジュール７１５とに通信可能に結合された１つまたは複数のアンテナ７０５を含み得、（１つまたは複数の）受信機モジュール７１０と（１つまたは複数の）送信機モジュール７１５とは制御モジュール７２０に通信可能に結合され得る。
【００６８】
[0080]  制御モジュール７２０は、１つまたは複数のプロセッサモジュール７２５と、プロセッサモジュール７２５が実行するためのソフトウェア７３５を含んでいるメモリ７３０と、ＵＥ能力受信モジュール７４０と、ＵＥ能力分析モジュール２８８-ａと、シグナリングモジュール２９０-ａとを含み得る。ＵＥ能力受信モジュール７４０、ＵＥ能力分析モジュール２８８-ａ、またはシグナリングモジュール２９０-ａの１つまたは複数の構成要素は、プロセッサモジュール７２５によって実行される、メモリ７３０中のソフトウェア７３５によって実装され得る。さらに、ＵＥ能力分析モジュール２８８-ａおよびシグナリングモジュール２９０-ａは、図２を参照しながら上記で説明したＵＥ能力分析モジュール２８８およびシグナリングモジュール２９０の例であり得る。
【００６９】
[0081]  ＵＥ能力受信モジュール７４０は、ＵＥ１１５-eから能力情報を受信するように構成され得る。いくつかの例では、受信した能力情報は、図３、図４Ａ〜図４Ｃ、または図５を参照しながら上記で説明したＵＥ能力情報メッセージ３１０のうちの１つまたは複数の形態であり得る。
【００７０】
[0082]  ＵＥ能力分析モジュール２２８−ａは、能力情報メッセージから、ＵＥ１１５-eが、ワイヤレス通信規格（たとえば、ＬＴＥアドバンストまたは別の仕様、ワイヤレス会社またはプロバイダに関連する規格など）によって指定された最小実行能力を下回る低減されたレベルでワイヤレス通信機能（たとえば、キャリアアグリゲーションなど）をサポートすると判断し得る。ＵＥ能力分析モジュール２２８−ａは、ＵＥ１１５-eが、非準拠低減レベルでワイヤレス機能を使用して基地局１０５-eと通信することを可能にすることが実現可能である、許可される、または有益であるかどうかをさらに判断し得る。
【００７１】
[0083]  ＵＥ１１５-eが非準拠低減レベルで基地局１０５-eと通信することを許可するとＵＥ能力分析モジュール２２８−ａが判断したことに応答して、シグナリングモジュール２９０-ａは、低減されたレベルでワイヤレス通信機能を使用する許可をＵＥ１１５-eにシグナリングするように（１つまたは複数の）送信機モジュール７１５と（１つまたは複数の）受信機モジュール７１０とを制御し得る。いくつかの例では、許可は、非準拠低減レベルでワイヤレス通信機能を使用してＵＥ１１５-eと通信するためにスケジューリング情報としてＵＥ１１５-eにシグナリングされ得る。基地局１０５-eは、次いで、スケジューリング情報に従ってＵＥ１１５-eと通信し得る。追加または代替として、シグナリングモジュール２９０-ａは、ＵＥ１１５-eが、低減されたレベルでワイヤレス通信機能を使用することを明確に認可するメッセージとしてＵＥ１１５-eに許可をシグナリングし得る。
【００７２】
[0084]  プロセッサモジュール７２５は、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）など、インテリジェントハードウェアデバイスを含み得る。メモリ７３０は、ランダムアクセスメモリ（ＲＡＭ）と読取り専用メモリ（ＲＯＭ）とを含み得る。メモリ７３０は、実行されると（またはコンパイルされ、実行されると）プロセッサモジュール７２５に本明細書で説明する様々な機能を実行させるように構成された命令を含んでいるコンピュータ可読、コンピュータ実行可能ソフトウェアコード７３５を記憶し得る。
【００７３】
[0085]  （１つまたは複数の）送信機モジュール７１５は、上記で説明したように、１つまたは複数のワイヤレス通信ネットワーク（たとえば、Ｅ−ＵＴＲＡＮ、ＵＴＲＡＮなど）を介した通信を確立するためにＵＥ１１５-e（および／または他のＵＥ）に送信し得る。（１つまたは複数の）受信機モジュール７１０は、上記で説明したように、ＵＥ１１５-e（および／または他のＵＥ）からアップリンク送信を受信し得る。アップリンク送信は基地局１０５-eにおいて受信され、処理され得る。
【００７４】
[0086]  基地局１０５-eの構成要素は、個別にまたは集合的に、ハードウェア中の適用可能な機能の一部または全部を実行するように適応された１つまたは複数の特定用途向け集積回路（ＡＳＩＣ）を用いて実装され得る。言及したモジュールの各々は、基地局１０５-eの動作に関係する１つまたは複数の機能を実行するための手段であり得る。
【００７５】
[0087]  図８に、様々な実施形態による、基地局との通信を確立するためにＵＥによって実行され得る、ワイヤレス通信の方法８００を示す。方法８００は、たとえば、図１、図２、図３、図５、図６、または図７のＵＥ１１５によって、あるいは上述の図で説明したデバイスの組合せを使用して実行され得る。
【００７６】
[0088]  初めに、ブロック８０５において、ＵＥは、実行能力がワイヤレス通信規格によって指定された、ワイヤレス通信システムの機能に関するＵＥの実行能力を取り出す。いくつかの例では、ＵＥは、ＵＥの実行能力が、ワイヤレス通信規格によって指定された、ワイヤレス通信機能をサポートすることに関連する最小実行能力を下回るという、ＵＥによって記憶された指示を読み取り得る。たとえば、ワイヤレス通信機能はキャリアアグリゲーションであり得、ワイヤレス通信規格は、ＬＴＥアドバンストあるいは関係するまたは後の規格など、ＬＴＥ規格のバージョンであり得る。ワイヤレス通信規格によって指定された最小実行能力は、限定はしないが、出力電力、周波数誤差、送信相互変調、基準感度電力レベル、電力入力レベル、隣接チャネル、ブロッキング特性、スプリアス応答、スプリアス放射、または受信機イメージ要件に関係する１つまたは複数の最小要件を含み得る。
【００７７】
[0089]  いくつかの例では、ワイヤレス通信規格によって指定された最小実行能力は、異なる帯域について異なり得る。さらに、いくつかの例では、ダウンリンク送信のための、ワイヤレス通信規格によって指定された最小実行能力は、アップリンク送信のための、ワイヤレス通信規格によって指定された最小実行能力とは異なり得る。したがって、ＵＥは、基地局からの指示に応答して、周波数帯域のうちの１つまたは複数上で、低減されたレベルで基地局と通信し得る。
【００７８】
[0090]  いくつかの例では、ＵＥは、さらに、ＵＥの実行能力が、ワイヤレス通信規格によって指定された、ワイヤレス通信機能をサポートすることに関連する最小実行能力よりも小さいと判断し得る。たとえば、ＵＥは、ＵＥの出力電力が、ワイヤレス通信機能によって指定された、ワイヤレス通信をサポートすることに関連する出力電力の最小要件よりも低いと判断し得る。追加または代替の例では、ＵＥは、ＵＥが、ワイヤレス通信規格によって指定された帯域全体についてワイヤレス通信機能をサポートしないと判断し得る。
【００７９】
[0091]  ブロック８１０において、ＵＥは、ＵＥが、ワイヤレス通信規格によって指定された最小実行能力を下回る低減されたレベルでワイヤレス通信機能をサポートすることが可能であることを基地局にシグナリングする。いくつかの例では、ＵＥは、図４Ａ〜図４Ｃを参照しながら上記で説明した要素のうちの１つまたは複数を含むＵＥ能力情報メッセージ３１０をシグナリングし得る。いくつかの例では、ＵＥは、いくつかの所定の実行能力レベルのうちの１つを取り出し、所定のレベルのうちの１つはＵＥの実行能力に関連し、一致した所定のレベルを、基地局にシグナリングされる低減されたレベルとして送信し得る。
【００８０】
[0092]  ＵＥの出力電力が、ワイヤレス通信をサポートすることに関連する出力電力の最小要件よりも低い例に戻ると、ＵＥは、それの現在の出力電力能力を、規格によって必要とされる最小出力電力を下回る異なるレベルの出力電力に対応するいくつかの所定のレベルのうちの１つに一致させ得る。ＵＥは、ワイヤレス通信機能の低減されたサポートをシグナリングしたとき、選択された出力電力レベルを基地局に与え得る。
【００８１】
[0093]  ＵＥが、ワイヤレス通信規格において指定された帯域全体についてワイヤレス通信をサポートすることができない例では、ＵＥは、サブバンドへの帯域の分割を示すいくつかの所定のレベルのうちの１つを選択し得る。選択されたレベルは、ＵＥがワイヤレス通信機能をサポートすることが可能である帯域のサブバンドを示し得る。ＵＥは、ワイヤレス通信機能の低減されたサポートをシグナリングしたとき、選択されたサブバンドを基地局に与え得る。
【００８２】
[0094]  ブロック８１５において、ＵＥは、基地局からの指示に基づいて、低減されたレベルでワイヤレス通信機能を使用して基地局と通信する。たとえば、基地局との通信における低減されたレベルでのワイヤレス通信機能の使用は、基地局からの許可の受信を条件とし得る。いくつかの例では、ＵＥが、ワイヤレス通信機能をサポートするためのそれの低減された能力をシグナリングした後、基地局は、ＵＥによってサポートされる限りワイヤレス通信機能を使用すると判断し、ワイヤレス通信機能を使用する通信のためにＵＥをスケジュールし得る。たとえば、基地局は、低減された出力電力で、またはＵＥによって指定された周波数のサブバンド内でワイヤレス通信機能を使用して基地局と通信するようにＵＥをスケジュールし得る。代替的に、基地局は、ＵＥが、低減されたレベルでワイヤレス通信機能を使用することを可能にしないと判断し、ワイヤレス通信機能を使用しない通信のためにＵＥをスケジュールし得る。
【００８３】
[0095]  いくつかの例では、ＵＥは、あるモードでは規格に従ってワイヤレス通信機能を完全にサポートし、別のモードでは低減されたレベルのみでワイヤレス通信機能をサポートすることが可能であり得る。たとえば、ＵＥは、ダウンリンク方向において規格に従ってキャリアアグリゲーションを完全にサポートすることが可能であり得るが、ＵＥは、仕様に従ってアップリンク方向においてキャリアアグリゲーションをサポートするのに十分な出力電力を有しないことがある。この例では、基地局は、基地局へのＵＥの近接性を所与としてＵＥの出力電力が十分であると判断し、アップリンク方向において低減された出力電力で、およびダウンリンク方向において規格への変更なしにキャリアアグリゲーション機能を使用して基地局と通信するようにＵＥをスケジュールし得る。別の例では、ＵＥは、規格によって指定された帯域のサブバンドのみにおいてキャリアアグリゲーションをサポートすることが可能であるが、規格によって指定された第２の帯域においてキャリアアグリゲーションを完全にサポートすることが可能であり得る。この例では、基地局は、第２の帯域内の任意の場所内で、および第１の帯域の指定されたサブバンド内でのみキャリアアグリゲーションを使用して基地局と通信するようにＵＥをスケジュールし得る。
【００８４】
[0096]  図９に、様々な実施形態による、基地局との通信を確立するためにＵＥによって実行され得る、ワイヤレス通信の方法９００を示す。方法９００は、たとえば、図１、図２、図３、図５、図６、または図７のＵＥ１１５によって、あるいは上述の図で説明したデバイスの任意の組合せを使用して実行され得る。
【００８５】
[0097]  図９の例では、ＵＥは、２つのトリガのうちの１つに応答して、それの能力情報を基地局に送信するであり得る。ブロック９０５において、ＵＥがそれの無線アクセス能力の変化を検出した場合、これらのトリガのうちの第１のトリガが発生する。ブロック９１０において、ＵＥが基地局から能力照会メッセージを受信した場合、これらのトリガのうちの第２のトリガが発生する。これらのトリガのうちのいずれかに応答して、ＵＥは、ブロック９１５において、ワイヤレス通信規格に従ってキャリアアグリゲーションをサポートするための必要とされる出力電力よりも小さいＵＥ出力電力の指示を取り出す。
【００８６】
[0098]  ブロック９２０において、ＵＥは、ワイヤレス通信規格に従ってキャリアアグリゲーションをサポートするための最小所要出力電力よりも小さい出力電力でのキャリアアグリゲーションのサポートを示すＵＥ能力情報メッセージを生成する。ブロック９２５において、ＵＥはＵＥ能力情報メッセージを基地局にシグナリングする。ＵＥ能力情報メッセージは、図４Ａ〜図４Ｃを参照しながら上記で説明したＵＥ能力情報メッセージ３１０の要素のうちの１つまたは複数を含み得る。ブロック９３０において、ＵＥは、低減された出力電力レベルで、ワイヤレス通信規格に従ってキャリアアグリゲーションを使用してダウンリンクデータを受信し、キャリアアグリゲーションを使用してアップリンクデータを送信するためにスケジューリング情報を受信する。ブロック９３５において、ＵＥは、スケジューリング情報に従って、低減された出力電力レベルで、ワイヤレス通信規格に従ってキャリアアグリゲーションを使用してダウンリンクデータを受信し、キャリアアグリゲーションを使用してアップリンクデータを送信することによって基地局と通信する。
【００８７】
[0099]  図１０に、様々な実施形態による、ＵＥと通信するために基地局によって実行され得る、ワイヤレス通信の方法１０００を示す。方法１０００は、たとえば、図１、図２、図３、図５、図６、または図７の基地局１０５によって、あるいは上述の図で説明したデバイスの任意の組合せを使用して実行され得る。
【００８８】
[0100]  初めに、ブロック１００５において、基地局において、基地局に通信可能に結合されたＵＥから能力情報メッセージを受信する。能力情報メッセージは、図４Ａ〜図４Ｃを参照しながら上記で説明したＵＥ能力情報３１０メッセージの１つまたは複数の要素を含み得る。能力情報メッセージは、ＵＥの様々な能力とＵＥによってサポートされるワイヤレス通信機能とを記述し得る。
【００８９】
[0101]  ブロック１０１０において、基地局は、能力情報メッセージから、ＵＥが、ワイヤレス通信機能をサポートするために、ワイヤレス通信規格によって指定された最小能力を下回る低減されたレベルでその機能をサポートすると判断する。たとえば、能力情報メッセージは、ＵＥがキャリアアグリゲーションをサポートするが、ＵＥが、最小出力電力要件を満たさないか、あるいはＬＴＥ仕様または別の規格の特定のバージョンによって指定された帯域全体をサポートしないことを示し得る。いくつかの例では、基地局は、能力情報メッセージから、ＵＥが、ワイヤレス通信規格によって指定された最小実行能力を下回るいくつかの所定のレベルのうちの１つでワイヤレス通信機能をサポートすることを識別し得る。追加または代替として、基地局は、能力情報メッセージから、ＵＥが、低減されたレベルでワイヤレス通信機能をサポートする方向（すなわちアップリンクまたはダウンリンク）を判断し得る。
【００９０】
[0102]  ブロック１０１５において、基地局は、低減されたレベルでワイヤレス通信機能を使用する許可をＵＥにシグナリングする。いくつかの例では、このシグナリングは、低減されたレベルでワイヤレス通信機能を使用する基地局との通信のためにＵＥをスケジュールすることを含み得る。追加または代替として、シグナリングは、低減されたレベルでワイヤレス通信機能を使用する許可を明確に示す、ＵＥに送信されたメッセージを含み得る。いくつかの例では、このスケジューリングは、ＵＥとの通信が、受信した能力情報メッセージおよび／または他の考慮事項に基づいて、低減されたレベルで実現可能であり、許可されるという判断の後に行われ得る。ＵＥが、ダウンリンク方向において規格に完全に従って、および規格において指定された最小出力電力を下回る出力電力でワイヤレス通信機能をサポートする例では、基地局は、規格に従ってワイヤレス通信機能を使用してダウンリンクデータを受信し、規格において指定された最小値を下回る出力電力で機能を使用してアップリンクデータを送信するようにＵＥをスケジュールし得る。ＵＥが、規格において指定された帯域の一部分のみについてワイヤレス通信機能をサポートする例では、基地局は、帯域のサポートされる一部分内でのみ機能を使用してデータを送信または受信するようにＵＥをスケジュールし得る。
【００９１】
[0103]  ブロック１０２０において、基地局は、スケジューリングに従って、低減されたレベルでワイヤレス通信機能を使用してＵＥと通信する。一例では、基地局は、ＵＥの受信信号強度が、低減されたレベルでワイヤレス通信機能を使用するアップリンク通信を可能にするのに十分であるという判断に応答して、低減されたレベルで機能を使用してアップリンク方向においてＵＥと通信し得る。
【００９２】
[0104]  図１１に、様々な実施形態による、ＵＥと通信するために基地局によって実行され得る、ワイヤレス通信の方法１１００を示す。方法１１００は、たとえば、図１、図２、図３、図５、図６、または図７の基地局１０５によって、あるいは上述の図で説明したデバイスの任意の組合せを使用して実行され得る。
【００９３】
[0105]  ブロック１１０５において、基地局はＵＥにＵＥ能力照会メッセージを送信する。ブロック１１１０において、基地局は、ＵＥ能力照会メッセージに応答して、ＵＥからＵＥ能力情報メッセージを受信する。ＵＥ能力情報メッセージは、図４Ａ〜図４Ｃに示したＵＥ能力情報メッセージ３１０のうちのいずれかの一例であり得る。ブロック１１１５において、基地局は、ＵＥ能力情報メッセージから、ＵＥがキャリアアグリゲーション能力を有し、ＵＥの出力電力が、システムにおいて実施されているワイヤレス通信規格に従って帯域上でキャリアアグリゲーションをサポートするための最小出力電力を下回ると判断する。
【００９４】
[0106]  ブロック１１２０において、基地局は、ＵＥが、ＵＥ能力情報メッセージとＵＥの受信信号強度とに基づいてアップリンクキャリアアグリゲーションを実行することが許されると判断する。ブロック１１２５において、基地局は、アップリンク方向とダウンリンク方向の両方においてキャリアアグリゲーションを使用して基地局と通信するようにＵＥをスケジュールする。ブロック１１３０において、基地局は、スケジューリングに従って、アップリンク方向とダウンリンク方向の両方においてキャリアアグリゲーションを使用してＵＥと通信する。
【００９５】
[0107]  添付の図面に関して上記に記載した詳細な説明は、例示的な実施形態について説明しており、実装され得るまたは特許請求の範囲内に入る実施形態のみを表すものではない。この説明全体にわたって使用する「例示的（exemplary）」という用語は、「例、事例、または例示の働きをすること」を意味し、「好ましい」または「他の実施形態よりも有利な」を意味しない。詳細な説明は、説明した技法の理解を与えるために、具体的な詳細を含む。ただし、これらの技法は、これらの具体的な詳細なしに実施され得る。場合によっては、説明した実施形態の概念を不明瞭にしないように、よく知られている構造およびデバイスがブロック図の形態で示される。
【００９６】
[0108]  本明細書で説明した技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２： 3rd Generation Partnership Projec
t 2）と称する団体からの文書に記載されている。本明細書で説明した技法は、上記のシステムおよび無線技術、ならびに他のシステムおよび無線技術に使用され得る。ただし、以下の説明では、例としてＬＴＥシステムについて説明し、以下の説明の大部分においてＬＴＥ用語が使用されるが、本技法はＬＴＥ適用例以外に適用可能である。
【００９７】
[0109]  情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００９８】
[0110]  本明細書の開示に関連して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【００９９】
[0111]  本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【０１００】
[0112]  コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−Ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１０１】
[0113]  本開示についての以上の説明は、当業者が本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明した例および設計に限定されるべきでなく、本明細書で開示する原理および新規の特徴に合致する最も広い範囲を与えられるべきである。
以下に、本願出願の当初の特許請求の範囲に記載された発明を付記する。
［Ｃ１］
ワイヤレス通信システムにおけるユーザ機器（ＵＥ）によるワイヤレス通信の方法であって、
最小実行能力がワイヤレス通信規格によって指定された、前記ワイヤレス通信システムの機能に関する前記ＵＥの実行能力を取り出すことと、
前記ワイヤレス通信規格によって指定された最小実行能力を下回る低減されたレベルで前記ワイヤレス通信機能をサポートする前記ＵＥの能力を基地局にシグナリングすることと、
前記基地局からの指示に基づいて、前記低減されたレベルで前記機能を使用して前記基地局と通信することとを備える、方法。
［Ｃ２］
前記基地局から、前記低減されたレベルで前記ワイヤレス通信機能を使用する許可として前記指示を受信することと、
前記基地局から受信した前記許可を、前記ＵＥによる前記低減されたレベルでの前記ワイヤレス通信機能の前記使用の条件とする調整することとをさらに備える、Ｃ１に記載の方法。
［Ｃ３］
前記基地局から、前記低減されたレベルで前記ワイヤレス通信機能を使用する許可を受信することが、
前記基地局から、前記ワイヤレス通信機能を使用して前記基地局にアップリンクデータを送信するためのスケジューリング命令を受信することを備える、Ｃ２に記載の方法。
［Ｃ４］
前記基地局から、前記低減されたレベルで前記機能を使用する通信を認可するメッセージとして前記指示を受信することをさらに備える、Ｃ２に記載の方法。
［Ｃ５］
前記機能の使用を可能にする無線リソース制御（ＲＲＣ）構成メッセージとして前記指示を受信することをさらに備える、Ｃ２に記載の方法。
［Ｃ６］
前記基地局から、前記低減されたレベルで前記機能を使用する通信を拒否するメッセージを受信することと、
前記メッセージに応答して、前記低減されたレベルで前記機能を使用して前記基地局と通信することを控えることとをさらに備える、Ｃ１に記載の方法。
［Ｃ７］
前記ＵＥの前記実行能力を取り出すことが、
前記ＵＥの前記実行能力の記憶された指示を取り出すことを備え、
前記基地局に前記シグナリングすることが能力交換プロセスに関して行われる、Ｃ１に記載の方法。
［Ｃ８］
前記基地局に前記シグナリングすることが、
複数の所定の実行能力レベルのうちの１つまたは複数での前記機能のサポートを示すことを備える、Ｃ１に記載の方法。
［Ｃ９］
前記ＵＥの前記実行能力が前記ワイヤレス通信システムのキャリアアグリゲーション機能のサポートを備える、Ｃ１に記載の方法。
［Ｃ１０］
前記基地局に前記シグナリングすることが、
アップリンク方向において前記低減されたレベルでおよびダウンリンク方向において前記ワイヤレス通信規格によって指定されたレベルで前記キャリアアグリゲーション機能をサポートする前記ＵＥの前記能力を前記基地局にシグナリングすることを備える、Ｃ９に記載の方法。
［Ｃ１１］
低減された出力電力で前記基地局にアップリンク信号を送信することと、
前記ワイヤレス通信規格に従って前記基地局からダウンリンク送信を受信することとをさらに備える、Ｃ１０に記載の方法。
［Ｃ１２］
前記ＵＥの前記実行能力を前記取り出すことが、
複数の周波数帯域に関して前記ＵＥの前記実行能力を識別することを備える、Ｃ１に記載の方法。
［Ｃ１３］
前記複数の周波数帯域のうちの１つまたは複数上で前記低減されたレベルで前記基地局と通信することをさらに備える、Ｃ１２に記載の方法。
［Ｃ１４］
前記ワイヤレス通信規格がロングタームエボリューション（ＬＴＥ）規格のバージョンを備える、Ｃ１に記載の方法。
［Ｃ１５］
ユーザ機器（ＵＥ）装置であって、
最小実行能力がワイヤレス通信規格によって指定された、ワイヤレス通信システムの機能に関する前記ＵＥの実行能力を取り出すように構成されたＵＥ能力モジュールと、
前記ワイヤレス通信規格によって指定された最小実行能力を下回る低減されたレベルで前記ワイヤレス通信機能をサポートする前記ＵＥの能力を基地局にシグナリングするように構成されたシグナリングモジュールと、
前記基地局からの指示に基づいて、前記低減されたレベルで前記機能を使用して前記基地局と通信するように構成された通信モジュールとを備える、ＵＥ装置。
［Ｃ１６］
前記指示が、前記低減されたレベルで前記ワイヤレス通信機能を使用する、前記基地局からの許可を備える、Ｃ１５に記載のＵＥ装置。
［Ｃ１７］
前記シグナリングモジュールが、
前記基地局から、前記ワイヤレス通信機能を使用して前記基地局にアップリンクデータを送信するためのスケジューリング命令のセットとして前記指示を受信することを行うようにさらに構成された、Ｃ１５に記載のＵＥ装置。
［Ｃ１８］
前記シグナリングモジュールが、前記基地局から、前記低減されたレベルで前記機能を使用する通信を認可するメッセージとして前記指示を受信するようにさらに構成された、Ｃ１５に記載のＵＥ装置。
［Ｃ１９］
前記シグナリングモジュールが、前記機能の使用を可能にする無線リソース制御（ＲＲＣ）構成メッセージとして前記指示を受信するようにさらに構成された、Ｃ１５に記載のＵＥ装置。
［Ｃ２０］
前記シグナリングモジュールが、前記基地局から、前記低減されたレベルで前記機能を使用する通信を拒否するメッセージを受信するようにさらに構成され、
前記通信モジュールが、前記メッセージに応答して、前記低減されたレベルで前記機能を使用して前記基地局と通信することを控えるようにさらに構成された、Ｃ１５に記載の方法。
［Ｃ２１］
前記ＵＥ能力モジュールが、
前記ＵＥの前記実行能力の記憶された指示を取り出すことを行うようにさらに構成され、
前記基地局に前記シグナリングすることが能力交換プロセスに関して行われる、Ｃ１５に記載のＵＥ装置。
［Ｃ２２］
前記ＵＥ能力モジュールが、
複数の所定の実行能力レベルのうちの１つまたは複数での前記機能のサポートを示すようにさらに構成された、Ｃ１５に記載のＵＥ装置。
［Ｃ２３］
前記ＵＥの前記実行能力が前記ワイヤレス通信システムのキャリアアグリゲーション機能のサポートを備える、Ｃ１５に記載のＵＥ装置。
［Ｃ２４］
前記シグナリングモジュールが、アップリンク方向において前記低減されたレベルで、およびダウンリンク方向において前記ワイヤレス通信規格によって指定されたレベルで、前記キャリアアグリゲーション機能をサポートするために前記ＵＥの前記能力を前記基地局にシグナリングするようにさらに構成され、
前記通信モジュールが、低減された出力電力で前記基地局にアップリンク送信を送信するように、かつ前記ワイヤレス通信規格に従って前記基地局からダウンリンク送信を受信するようにさらに構成された、Ｃ２３に記載のＵＥ装置。
［Ｃ２５］
前記ＵＥ能力モジュールが、
複数の周波数帯域に関して前記ＵＥの前記実行能力を識別することを行うようにさらに構成された、Ｃ１５に記載のＵＥ装置。
［Ｃ２６］
前記通信モジュールが、
前記複数の周波数帯域のうちの１つまたは複数上で前記低減されたレベルで前記ワイヤレス通信機能を使用して前記基地局と通信するようにさらに構成された、Ｃ２５に記載のＵＥ装置。
［Ｃ２７］
前記ワイヤレス通信規格がロングタームエボリューション（ＬＴＥ）規格のバージョンを備える、Ｃ１５に記載のＵＥ装置。
［Ｃ２８］
ユーザ機器（ＵＥ）装置であって、
最小実行能力がワイヤレス通信規格によって指定された、ワイヤレス通信システムの機能に関する前記ＵＥの実行能力を取り出すための手段と、
前記ワイヤレス通信規格によって指定された最小実行能力を下回る低減されたレベルで前記ワイヤレス通信機能をサポートする前記ＵＥの能力を基地局にシグナリングするための手段と、
前記基地局からの指示に基づいて、前記低減されたレベルで前記機能を使用して前記基地局と通信するための手段とを備える、ＵＥ装置。
［Ｃ２９］
前記基地局から、前記低減されたレベルで前記ワイヤレス通信機能を使用する許可として前記指示を受信するための手段と、
前記基地局から受信した前記許可を、前記ＵＥによる前記低減されたレベルでの前記ワイヤレス通信機能の前記使用の条件とするための手段とをさらに備える、Ｃ２８に記載のＵＥ装置。
［Ｃ３０］
前記基地局から、前記ワイヤレス通信機能を使用して前記基地局にアップリンクデータを送信するためのスケジューリング命令を受信するための手段をさらに備える、Ｃ２９に記載のＵＥ装置。
［Ｃ３１］
前記基地局から、前記低減されたレベルで前記機能を使用する通信を認可するメッセージとして前記指示を受信するための手段をさらに備える、Ｃ２９に記載のＵＥ装置。
［Ｃ３２］
前記機能の使用を可能にする無線リソース制御（ＲＲＣ）構成メッセージとして前記指示を受信するための手段をさらに備える、Ｃ２９に記載のＵＥ装置。
［Ｃ３３］
前記基地局から、前記低減されたレベルで前記機能を使用する通信を拒否するメッセージを受信することと、
前記メッセージに応答して、前記低減されたレベルで前記機能を使用して前記基地局と通信することを控えるための手段とをさらに備える、Ｃ２８に記載のＵＥ装置。
［Ｃ３４］
前記ＵＥの前記実行能力を取り出すための前記手段が、
前記ＵＥの前記実行能力の記憶された指示を取り出すための手段を備え、
前記基地局に前記シグナリングすることが能力交換プロセスに関して行われる、Ｃ２８に記載のＵＥ装置。
［Ｃ３５］
前記基地局にシグナリングするための前記手段が、
複数の所定の実行能力レベルのうちの１つまたは複数での前記機能のサポートを示すための手段を備える、Ｃ２８に記載のＵＥ装置。
［Ｃ３６］
前記ＵＥの前記実行能力が前記ワイヤレス通信システムのキャリアアグリゲーション機能のサポートを備える、Ｃ２８に記載のＵＥ装置。
［Ｃ３７］
前記基地局にシグナリングするための前記手段が、
アップリンク方向において前記低減されたレベルで、およびダウンリンク方向において前記ワイヤレス通信規格によって指定されたレベルで、前記キャリアアグリゲーション機能をサポートする前記ＵＥの前記能力を前記基地局にシグナリングするための手段を備える、Ｃ３６に記載のＵＥ装置。
［Ｃ３８］
低減された出力電力で前記基地局にアップリンク信号を送信するための手段と、
前記ワイヤレス通信規格に従って前記基地局からダウンリンク送信を受信するための手段とをさらに備える、Ｃ３７に記載のＵＥ装置。
［Ｃ３９］
前記ＵＥの前記実行能力を取り出すための前記手段が、
複数の周波数帯域に関して前記ＵＥの前記実行能力を識別するための手段を備える、Ｃ２８に記載のＵＥ装置。
［Ｃ４０］
前記複数の周波数帯域のうちの１つまたは複数上で前記低減されたレベルで前記基地局と通信するための手段をさらに備える、Ｃ３９に記載のＵＥ装置。
［Ｃ４１］
前記ワイヤレス通信規格がロングタームエボリューション（ＬＴＥ）規格のバージョンを備える、Ｃ２８に記載のＵＥ装置。
［Ｃ４２］
ユーザ機器（ＵＥ）を使用するワイヤレス通信のためのコンピュータプログラム製品であって、
最小実行能力がワイヤレス通信規格によって指定された、ワイヤレス通信システムの機能に関する前記ＵＥの実行能力を取り出すためのコードと、
前記ワイヤレス通信規格によって指定された最小実行能力を下回る低減されたレベルで前記ワイヤレス通信機能をサポートする前記ＵＥの能力を基地局にシグナリングするためのコードと、
前記基地局からの指示に基づいて、前記低減されたレベルで前記機能を使用して前記基地局と通信するためのコードとを備える有形コンピュータ可読媒体を備える、コンピュータプログラム製品。
［Ｃ４３］
基地局を使用するワイヤレス通信のための方法であって、
前記基地局に通信可能に結合されたユーザ機器（ＵＥ）から能力情報メッセージを受信することと、
前記能力情報メッセージから、前記ＵＥが、ワイヤレス通信機能をサポートするための、ワイヤレス通信規格によって指定された最小実行能力を下回る低減されたレベルで前記ワイヤレス通信機能をサポートすると判断することと、
前記ワイヤレス通信機能が前記低減されたレベルで使用され得るかどうかを前記ＵＥに示すこととを備える、方法。
［Ｃ４４］
前記示すことが、
前記低減されたレベルで前記ワイヤレス通信機能を使用して前記基地局にアップリンクデータを送信するためのスケジューリング命令を前記ＵＥに送信することを備える、Ｃ４３に記載の方法。
［Ｃ４５］
前記示すことが、
前記低減されたレベルで前記ワイヤレス通信機能を使用する許可を示すメッセージを前記ＵＥに送信することを備える、Ｃ４３に記載の方法。
［Ｃ４６］
前記能力情報メッセージに基づいて、前記低減されたレベルで前記ワイヤレス通信機能を使用して前記ＵＥと通信することが可能であると判断することをさらに備え、
前記示すことは、前記低減されたレベルで前記ワイヤレス機能を使用して前記ＵＥと通信することが可能であるという前記判断に応答して行われる、Ｃ４３に記載の方法。
［Ｃ４７］
前記ＵＥの受信信号強度が、前記低減されたレベルで前記ワイヤレス機能を使用するアップリンク通信を可能にするのに十分であると判断することと、
前記ＵＥの前記受信信号強度が、前記低減されたレベルで前記ワイヤレス通信機能を使用するアップリンク通信を可能にするのに十分であるという前記判断に応答して、前記低減されたレベルで前記ワイヤレス通信機能を使用してアップリンク方向において前記ＵＥと通信することとをさらに備える、Ｃ４６に記載の方法。
［Ｃ４８］
複数の周波数帯域に関して前記ＵＥの前記実行能力を識別することと、
前記複数の周波数帯域のうちの１つまたは複数上で前記低減されたレベルで前記基地局と通信することとをさらに備える、Ｃ４３に記載の方法。
［Ｃ４９］
前記ワイヤレス通信機能がキャリアアグリゲーション機能を備える、Ｃ４３に記載の方法。
［Ｃ５０］
前記ワイヤレス通信規格がロングタームエボリューション（ＬＴＥ）規格のバージョンを備える、Ｃ４３に記載の方法。
［Ｃ５１］
基地局装置であって、
前記基地局に通信可能に結合されたユーザ機器（ＵＥ）から能力情報メッセージを受信するための手段と、
前記能力情報メッセージから、前記ＵＥが、ワイヤレス通信機能をサポートするための、ワイヤレス通信規格によって指定された最小実行能力を下回る低減されたレベルで前記ワイヤレス通信機能をサポートすると判断するための手段と、
前記ワイヤレス通信機能が前記低減されたレベルで使用され得るかどうかを前記ＵＥに示すための手段とを備える、基地局装置。
［Ｃ５２］
示すための前記手段が、
前記低減されたレベルで前記ワイヤレス通信機能を使用して前記基地局にアップリンクデータを送信するためのスケジューリング命令を前記ＵＥに送信するための手段を備える、Ｃ５１に記載の基地局装置。
［Ｃ５３］
示すための前記手段が、
前記低減されたレベルで前記ワイヤレス通信機能を使用する許可を示すメッセージを前記ＵＥに送信するための手段を備える、Ｃ５１に記載の基地局装置。
［Ｃ５４］
前記ＵＥの受信信号強度が、前記低減されたレベルで前記ワイヤレス機能を使用するアップリンク通信を可能にするのに十分であると判断するための手段をさらに備え、
前記ＵＥと通信するための前記手段は、前記ＵＥの前記受信信号強度が、前記低減されたレベルで前記ワイヤレス通信機能を使用するアップリンク通信を可能にするのに十分であるという前記判断に応答して、前記低減されたレベルで前記ワイヤレス通信機能を使用してアップリンク方向において前記ＵＥと通信することを備える、Ｃ５１に記載の基地局装置。
［Ｃ５５］
複数の周波数帯域に関して前記ＵＥの前記実行能力を識別するための手段と、
前記複数の周波数帯域のうちの１つまたは複数上で前記低減されたレベルで前記基地局と通信するための手段とをさらに備える、Ｃ５１に記載の基地局装置。
［Ｃ５６］
前記ワイヤレス通信機能がキャリアアグリゲーション機能を備える、Ｃ５１に記載の基地局装置。
［Ｃ５７］
前記ワイヤレス通信規格がロングタームエボリューション（ＬＴＥ）規格のバージョンを備える、Ｃ５１に記載の基地局装置。
【図１】
0006328618.tif 000002
【図２】
0006328618.tif 000003
【図３】
0006328618.tif 000004
【図４Ａ】
0006328618.tif 000005
【図４Ｂ】
0006328618.tif 000006
【図４Ｃ】
0006328618.tif 000007
【図５】
0006328618.tif 000008
【図６】
0006328618.tif 000009
【図７】
0006328618.tif 000010
【図８】
0006328618.tif 000011
【図９】
0006328618.tif 000012
【図１０】
0006328618.tif 000013
【図１１】
0006328618.tif 000014